(57)【要約】【課題】傘において、開いた場合にユーザを雨から保護する範囲を広げる一方、閉じた場合に傘をコンパクトにする。【解決手段】傘１０においては、下ロクロ１２７が上端に位置する場合に、補助骨１４０の露先１４２は、補助骨１４０が取り付けられた親骨１１５の露先１１７よりも石突き１１０から遠い位置にある。そして、下ロクロ１２７が上端に位置する場合の方が下端に位置する場合よりも、補助骨１４０の露先１４２が石突き１１０から遠い位置にある。【選択図】図３
2019005423.tif 000002
【特許請求の範囲】
【請求項１】
中棒と、
前記中棒に摺動可能に取り付けられた下ロクロと、
前記下ロクロの摺動によって各々が前記中棒に対して開閉する複数の骨群とを備え、
前記複数の骨群の各々は、
一方の端部が前記中棒の上端部に回動可能に取り付けられるとともに、他方の端部に露先が設けられた親骨と、
前記親骨に摺動可能に取り付けられるとともに、外周方向の端部に露先が設けられた補助骨と、
一方の端部が前記補助骨に回動可能に取り付けられるとともに、他方の端部が前記下ロクロに回動可能に取り付けられた受骨とを含み、
前記下ロクロが上端に位置する場合に、前記補助骨の露先は、前記補助骨が取り付けられた親骨の露先よりも前記上端部から遠い位置にあり、
前記下ロクロが上端に位置する場合の方が下端に位置する場合よりも、前記補助骨の露先が前記上端部から遠い位置にある、傘。
【請求項２】
前記下ロクロが下端に位置する場合に、前記補助骨の露先は、前記補助骨が取り付けられた親骨の露先よりも前記上端部に近い位置にある、請求項１に記載の傘。
【請求項３】
前記複数の骨群の各々は、一方の端部が前記受骨に回動可能に取り付けられ、他方の端部が前記親骨に回動可能に取り付けられた連結骨をさらに備える、請求項１又は請求項２に記載の傘。
【発明の詳細な説明】
【技術分野】
【０００１】
本発明は、傘に関する。
【背景技術】
【０００２】
特開２０１７−３８８９８号公報（特許文献１）は、把持部を備える洋傘を開示する。この洋傘において、把持部の形状は五角形である。ユーザがこの把持部を把持すると、洋傘の傘布の中心位置が、一般的な洋傘の把持部を把持する場合と比較してユーザ側に近づく。その結果、ユーザが傘布からはみ出しにくくなる。したがって、この洋傘によれば、ユーザが雨に濡れる可能性を低減することができる（特許文献１参照）。
【先行技術文献】
【特許文献】
【０００３】
【特許文献１】特開２０１７−３８８９８号公報
【発明の概要】
【発明が解決しようとする課題】
【０００４】
ユーザが雨に濡れる可能性を低減することは、上記特許文献１に開示される方法の他、傘がユーザを雨から保護する範囲を広げること（たとえば、親骨の延長及び傘布の拡張）でも実現可能である。しかしながら、傘がユーザを雨から保護する範囲を単純に広げると、傘の長さが長くなってしまう。
【０００５】
本発明は、このような問題を解決するためになされたものであって、その目的は、傘において、開いた場合にユーザを雨から保護する範囲を広げる一方、閉じた場合に傘をコンパクトにすることである。
【課題を解決するための手段】
【０００６】
本発明に従う傘は、中棒と、下ロクロと、複数の骨群とを備える。下ロクロは、中棒に摺動可能に取り付けられている。骨群は、下ロクロの摺動によって各々が中棒に対して開閉する。複数の骨群の各々は、親骨と、補助骨と、受骨とを含む。親骨は、一方の端部が中棒の上端部に回動可能に取り付けられるとともに、他方の端部に露先が設けられている。補助骨は、親骨に摺動可能に取り付けられるとともに、外周方向の端部に露先が設けられている。受骨は、一方の端部が補助骨に回動可能に取り付けられるとともに、他方の端部が下ロクロに回動可能に取り付けられている。下ロクロが上端に位置する場合に、補助骨の露先は、補助骨が取り付けられた親骨の露先よりも上端部から遠い位置にある。そして、下ロクロが上端に位置する場合の方が下端に位置する場合よりも、補助骨の露先が上端部から遠い位置にある。
【０００７】
この傘においては、下ロクロが上端に位置する場合の方が下端に位置する場合よりも、補助骨の露先が上端部から遠い位置にある。すなわち、この傘においては、傘を開くことによって、補助骨の露先が上端部から遠ざかる方向に移動して親骨の露先よりも遠い位置まで移動するとともに、傘を閉じることによって、補助骨の露先が上端部に近づく方向に移動する。したがって、この傘によれば、ユーザは、傘を開くことによって傘がユーザを雨から保護する範囲を広げることができるとともに、傘を閉じることによって傘をコンパクトにすることができる。
【０００８】
上記傘において、下ロクロが下端に位置する場合に、補助骨の露先は、補助骨が取り付けられた親骨の露先よりも上端部に近い位置にあってもよい。
【０００９】
この傘においては、下ロクロが下端に位置する場合には、補助骨の露先が、補助骨が取り付けられた親骨の露先よりも上端部に近い位置にある一方、下ロクロが上端に位置する場合には、補助骨の露先が、補助骨が取り付けられた親骨の露先よりも上端部から遠い位置にある。すなわち、この傘においては、傘を開くことによって、補助骨の露先が親骨の露先よりも外側に移動するとともに、傘を閉じることによって、補助骨の露先が親骨の露先よりも内側に移動する。したがって、この傘によれば、ユーザは、傘を開くことによって傘がユーザを雨から保護する範囲を広げることができるとともに、傘を閉じることによって傘を最大限コンパクトにすることができる。
【００１０】
上記傘において、複数の骨群の各々は、一方の端部が受骨に回動可能に取り付けられ、他方の端部が親骨に回動可能に取り付けられた連結骨をさらに備えてもよい。
【００１１】
この傘においては、連結骨が親骨と受骨との間に設けられている。連結骨が設けられることによって、下ロクロを摺動させることによって生じる力を補助骨を介さずに親骨に伝達することができる。受骨及び親骨は摺動しないため、下ロクロを摺動させることによって生じる力は、親骨に効率的に伝達される。したがって、この傘によれば、ユーザは、傘に連結骨が設けられない場合と比較して、小さい力で傘を開閉することができる。
【発明の効果】
【００１２】
本発明によれば、傘において、開いた場合にユーザを雨から保護する範囲を広げることができる一方、閉じた場合に傘をコンパクトにすることができる。
【図面の簡単な説明】
【００１３】
【図１】傘１０の斜視図である。
【図２】傘１０の上面図である。
【図３】図２のＩＩＩ−ＩＩＩ断面図である。
【図４】傘を閉じる途中において、傘を図２のＩＩＩ−ＩＩＩ方向から見た図である。
【図５】傘を閉じた状態において、傘を図２のＩＩＩ−ＩＩＩ方向から見た図である。
【発明を実施するための形態】
【００１４】
以下、本発明の実施の形態について、図面を参照しながら詳細に説明する。なお、図中同一又は相当部分には同一符号を付してその説明は繰り返さない。
【００１５】
［１．傘の外観構成］
図１は、本実施の形態に従う傘１０の斜視図である。図２は、本実施の形態に従う傘１０の上面図である。図１，２に示されるように、傘１０は、複数の親骨１１５と、複数の補助骨１４０とを含んでいる。親骨１１５には傘布１５が張られ、補助骨１４０には傘布２０が張られている。詳細については後述するが、補助骨１４０は、親骨１１５に対してスライド可能に取り付けられている。
【００１６】
傘１０を閉じると、補助骨１４０が石突き１１０に近づく方向にスライドする。その結果、傘布２０が傘布１５の裏側に隠れる。傘１０を開くと、補助骨１４０が石突き１１０から離れる方向にスライドする。その結果、傘布２０が傘布１５よりも外周側に現れる。
【００１７】
すなわち、傘１０によれば、傘を開いた場合にユーザを雨から保護する範囲を広げることができる一方、傘を閉じた場合に傘をコンパクトにすることができる。以下、傘１０の構造及び開閉動作について詳細に説明する。
【００１８】
［２．傘の構造］
図３は、図２のＩＩＩ−ＩＩＩ断面図である。なお、図３においては、傘１０から傘布１５，２０が取り外されている。また、他の親骨１１５及び補助骨１４０に沿った断面も同様の構造となっている。
【００１９】
図３に示されるように、傘１０は、中棒１００と、手元１０５と、石突き１１０と、下ロクロ１２７と、複数の骨群１１２とを含んでいる。複数の骨群１１２の各々は、親骨１１５と、連結骨１２０と、受骨１２５と、補助骨１４０とを含んでいる。骨群１１２の骨群の各々は、下ロクロ１２７の摺動によって中棒１００に対して開閉する。
【００２０】
中棒１００の一端（下端）には手元１０５が設けられ、中棒１００の他端（上端）には石突き１１０が設けられている。中棒１００には、さらに下ロクロ１２７が摺動可能に取り付けられている。中棒１００の上端部には、複数の親骨１１５が回動可能に取り付けられている。
【００２１】
親骨１１５の外周方向の端部には、露先１１７が設けられている。また、親骨１１５には、スライド部材１３０，１３５を介して補助骨１４０が摺動可能に取り付けられている。
【００２２】
スライド部材１３０，１３５の各々は、補助骨１４０に固定されており、内部に貫通孔を有している。スライド部材１３０，１３５の各々の貫通孔には親骨１１５が貫通している。親骨１１５の直径に対して貫通孔の直径にゆとりがあるため、親骨１１５に対して補助骨１４０が摺動可能となっている。補助骨１４０の外周方向の端部には、露先１４２が設けられている。なお、傘布２０は、スライド部材１３５と露先１４２との間に張られている。
【００２３】
受骨１２５の一方の端部は補助骨１４０（又はスライド部材１３０）に回動可能に取り付けられ、受骨１２５の他方の端部は下ロクロ１２７に回動可能に取り付けられている。
【００２４】
連結骨１２０の一方の端部は、受骨１２５に回動可能に取り付けられている。連結骨１２０の他方の端部は、親骨１１５に回動可能に取り付けられている。より具体的には、連結骨１２０の他方の端部は、親骨１１５において、補助骨１４０の石突き１１０寄りの端部と、石突き１１０との間の位置に回動可能に取り付けられている。次に、傘１０の開閉動作について説明する。
【００２５】
［３．傘の開閉動作］
図４は、傘１０を閉じる途中において、傘１０を図２のＩＩＩ−ＩＩＩ方向から見た図である。図５は、傘１０を閉じた状態において、傘１０を図２のＩＩＩ−ＩＩＩ方向から見た図である。なお、図４，５においては、傘１０から傘布１５，２０が取り外されている。
【００２６】
図４に示されるように、下ロクロ１２７が上端から下方に下げられると、受骨１２５が下ロクロ１２７及び補助骨１４０に対して回動し、補助骨１４０が親骨１１５に対して摺動することによって、補助骨１４０が石突き１１０側に移動する。これによって、露先１４２が石突き１１０側に移動する。
【００２７】
本実施の形態に従う傘１０においては、連結骨１２０が設けられており、下ロクロ１２７を下方に移動させる力（傘を閉じる力）が親骨１１５に容易に伝わり、連結骨１２０が設けられない場合よりも小さい力で傘１０の開閉が可能となっている。
【００２８】
図５に示されるように、下ロクロ１２７が下端に達すると、補助骨１４０の露先１４２が親骨１１５の露先１１７よりも石突き１１０側に位置する。すなわち、補助骨１４０が親骨１１５の内側に完全に隠れる。
【００２９】
［４．特徴］
以上のように、本実施の形態に従う傘１０においては、下ロクロ１２７が上端に位置する場合に、補助骨１４０の露先１４２は、補助骨１４０が取り付けられた親骨１１５の露先１１７よりも石突き１１０から遠い位置にある。そして、下ロクロ１２７が上端に位置する場合の方が下端に位置する場合よりも、補助骨１４０の露先１４２が石突き１１０から遠い位置にある。
【００３０】
すなわち、傘１０においては、傘１０を開くことによって、補助骨１４０の露先１４２が石突き１１０から遠ざかる方向に移動して親骨１１５の露先１１７よりも遠い位置まで移動するとともに、傘１０を閉じることによって、補助骨１４０の露先１４２が石突き１１０に近づく方向に移動する。したがって、この傘１０によれば、ユーザは、傘１０を開くことによって傘１０がユーザを雨から保護する範囲を広げることができるとともに、傘１０を閉じることによって傘１０をコンパクトにすることができる。
【００３１】
［５．変形例］
以上、実施の形態について説明したが、本発明は、上記実施の形態に限定されるものではなく、その趣旨を逸脱しない限りにおいて、種々の変更が可能である。以下、変形例について説明する。但し、以下の変形例は適宜組合せ可能である。
【００３２】
＜５−１＞
上記実施の形態に従う傘１０は、骨群１１２を１０組含むこととした。しかしながら、骨群１１２の数はこれに限定されない。たとえば、骨群１１２の数は、８組であってもよいし、１２組であってもよい。骨群１１２の数は何組であってもよい。
【００３３】
＜５−２＞
上記実施の形態に従う傘１０においては、傘１０を閉じた場合に、補助骨１４０の露先１４２が親骨１１５の露先１１７よりも石突き１１０に近づくこととした。しかしながら、傘１０を閉じた場合の露先１４２の位置はこれに限定されない。たとえば、傘１０を閉じた場合に、露先１４２が露先１１７よりも石突き１１０から遠くに位置することとしてもよい。この場合においても、露先１４２は、傘１０を開いている場合よりは、石突き１１０の近くに位置する必要がある。
【００３４】
＜５−３＞
上記実施の形態に従う傘１０においては、連結骨１２０が設けられた。しかしながら、連結骨１２０は、必ずしも設けられなくてもよい。連結骨１２０が設けられなかったとしても、下ロクロ１２７の摺動に大きい力を用いることによって、傘１０を開閉することができる。
【符号の説明】
【００３５】
１０  傘、１５，２０  傘布、１００  中棒、１０５  手元、１１０  石突き、１１２  骨群、１１５  親骨、１１７，１４２  露先、１２０  連結骨、１２５  受骨、１２７  下ロクロ、１３０，１３５  スライド部材、１４０  補助骨。
【図１】
2019005423.tif 000003
【図２】
2019005423.tif 000004
【図３】
2019005423.tif 000005
【図４】
2019005423.tif 000006
【図５】
2019005423.tif 000007